(57)【要約】【課題】横置きとしても安定した姿勢で設置することができる空気調和装置を提供する。【解決手段】有底な円筒型に形成された下部筐体１０と、下部筐体２０の上部に配置され、外周面の少なくとも１辺に平坦面２１を含む上部筐体２０とからなる筐体１Ａと、下部筐体１０が挿通可能な挿通孔を有する第２平板部３２と、空気吹出口を塞ぎ得る大きさを有する第１平板部３１とからなるＬ字状をなすアタッチメント板３０をさらに備えることで、カップホルダーなどへの縦置き設置ばかりでなく、アタッチメント板３０をスタンド脚として平坦面を下にして横置きすることができる。【選択図】図１
2015141000.tif 000002
【特許請求の範囲】
【請求項１】
外周面に空気吸込口と上面に空気吹出口とを有し、上記空気吸込口と空気吹出口とを結ぶ空気通路内に空気清浄手段と送風ファンとが収納されている筐体を備え、上記送風ファンの運転により上記空気吸込口から上記筐体内に吸い込まれた空気を上記空気清浄手段にて清浄して上記空気吹出口から上記筐体外に吹き出す空気調和装置において、
上記筐体には、円筒型に形成された下部筐体と、上記下部筐体の上部に配置され、上記下部筐体の軸線と直交する横断面の前後左右の幅が上記下部筐体の直径よりも大きく形成された上部筐体とが含まれており、上記上部筐体は、その外周面に少なくとも一つの平坦面を備え、
上記筐体とは別に、上記空気吹出口を塞ぎ得る大きさを有する第１平板部と、上記下部筐体が挿通可能な挿通孔を有する第２平板部とを、それらの各一端側を連結部で連結してなるＬ字状をなすアタッチメント板をさらに備え、上記上部筐体の上記平坦面側には、上記第１平板部と上記第２平板部のいずれか一方を選択的に上記平坦面と平行に摺動可能に保持するガイド部が設けられていることを特徴とする空気調和装置。
【請求項２】
上記連結部で上記第１平板部側には突起が形成され、上記筐体を横置きする際には、上記第２平板部の上記挿通孔内に上記下部筐体が挿通された状態で、上記第１平板部が上記ガイド部に摺動可能に保持され、上記第１平板部の一部分が上記ガイド部から上記下部筐体の底面側に向けて引き出され、上記突起が上記第１平板部を上記被設置面と平行に保つことにより、上記アタッチメント板が上記横置き状態のスタンド脚として用いられることを特徴とする請求項１に記載の空気調和装置。
【請求項３】
上記平坦面を上記被設置面に対して垂直として上記筐体を縦置きする際には、上記第１平板部が上記空気吹出口と対向するように、上記第２平板部が上記ガイド部に摺動可能に保持され、当該空気調和装置の不使用時には、上記第１平板部が上記空気吹出口を塞ぐ蓋板として用いられ、当該空気調和装置の運転時には、上記第１平板部が上記空気吹出口から所定距離持ち上げられて風向板として用いられることを特徴とする請求項１に記載の空気調和装置。
【請求項４】
上記第１および第２平板部と上記ガイド部との間には、上記各平板部を所定の摺動位置に保持する係合手段が設けられていることを特徴とする請求項１ないし３のいずれか１項に記載の空気調和装置。
【請求項５】
上記係合手段が、上記第１と第２平板部もしくは上記ガイド部のいずれか一方に形成された凹凸を含む波形面と、いずれか他方において上記波形面に含まれている凹部に係合するように形成された凸部との組合せからなることを特徴とする請求項４に記載の空気調和装置。
【発明の詳細な説明】
【技術分野】
【０００１】
本発明は、車内や卓上などで用いられる空気調和装置に関する。
【背景技術】
【０００２】
最近では、自動車やオフィスのデスク周りなどの比較的狭い空間の空気に対して空気清浄を行う空気調和装置が種々提案されている。例えば特許文献１には、有底な円筒型の筐体内にイオン発生器や送風ファン、駆動回路などを組み込み、吸い込んだ空気とともにマイナスイオンを吹き出して、空気中を浮遊するカビや細菌等を不活性化する空気調和装置が開示されている。
【０００３】
この種の空気調和装置は、自動車の車内ではカップホルダーに設置された状態で使用され、シガーソケットなどから給電されるようになっている。また、小型で持ち運びができることから、デスクなどの卓上でも使用することができる。
【０００４】
しかしながら、特許文献１に記載の空気調和装置は、主に車載用途として、車内のカップホルダーに設置することを前提として有底な円筒型の筐体を用いているため、卓上に設置した場合、振動や衝撃で倒れやすいばかりでなく、もし倒れた場合、転がって床に落下するおそれがある。また、そもそも転がりやすい円筒形状であるが故に、横に寝かせての設置には不向きである。
【先行技術文献】
【特許文献】
【０００５】
【特許文献１】特開２０１３−１４１８８０号公報
【発明の概要】
【発明が解決しようとする課題】
【０００６】
そこで、本発明の課題は、横置きとしても安定した姿勢で設置することができる空気調和装置を提供することにある。
【課題を解決するための手段】
【０００７】
上述した課題を解決するため、本発明は、外周面に空気吸込口と上面に空気吹出口とを有し、上記空気吸込口と空気吹出口とを結ぶ空気通路内に空気清浄手段と送風ファンとが収納されている筐体を備え、上記送風ファンの運転により上記空気吸込口から上記筐体内に吸い込まれた空気を上記空気清浄手段にて清浄して上記空気吹出口から上記筐体外に吹き出す空気調和装置において、上記筐体には、円筒型に形成された下部筐体と、上記下部筐体の上部に配置され、上記下部筐体の軸線と直交する横断面の前後左右の幅が上記下部筐体の直径よりも大きく形成された上部筐体とが含まれており、上記上部筐体は、その外周面に少なくとも一つの平坦面を備え、上記筐体とは別に、上記空気吹出口を塞ぎ得る大きさを有する第１平板部と、上記下部筐体が挿通可能な挿通孔を有する第２平板部とを、それらの各一端側を連結部で連結してなるＬ字状をなすアタッチメント板をさらに備え、上記上部筐体の上記平坦面側には、上記第１平板部と上記第２平板部のいずれか一方を選択的に上記平坦面と平行に摺動可能に保持するガイド部が設けられていることを特徴としている。
【０００８】
さらに、上記連結部で上記第１平板部側には突起が形成され、上記筐体を横置きする際には、上記第２平板部の上記挿通孔内に上記下部筐体が挿通された状態で、上記第１平板部が上記ガイド部に摺動可能に保持され、上記第１平板部の一部分が上記ガイド部から上記下部筐体の底面側に向けて引き出され、上記突起が上記第１平板部を上記被設置面と平行に保つことにより、上記アタッチメント板が上記横置き状態のスタンド脚として用いられる。
【０００９】
また、上記平坦面を上記被設置面に対して垂直として上記筐体を縦置きする際には、上記第１平板部が上記空気吹出口と対向するように、上記第２平板部が上記ガイド部に摺動可能に保持され、当該空気調和装置の不使用時には、上記第１平板部が上記空気吹出口を塞ぐ蓋板として用いられ、当該空気調和装置の運転時には、上記第１平板部が上記空気吹出口から所定距離持ち上げられて風向板として用いられる。
【００１０】
さらに、上記第１および第２平板部と上記ガイド部との間には、上記各平板部を所定の摺動位置に保持する係合手段が設けられている。
【００１１】
より好ましい態様として、上記係合手段が、上記第１と第２平板部もしくは上記ガイド部のいずれか一方に形成された凹凸を含む波形面と、いずれか他方において上記波形面に含まれている凹部に係合するように形成された凸部との組合せからなる。
【発明の効果】
【００１２】
本発明によれば、有底な円筒型に形成された下部筐体と、下部筐体の上部に配置され、外周面の少なくとも１辺に平坦面を含む上部筐体とからなる筐体と、下部筐体が挿通可能な挿通孔を有する第１平板部と、空気吹出口を塞ぎ得る大きさを有する第２平板部とからなるＬ字状をなすアタッチメント板をさらに備えることで、カップホルダーなどへの縦置き設置ばかりでなく、安定した横置き設置を可能にすることができる。
【図面の簡単な説明】
【００１３】
【図１】本発明の空気調和装置からアタッチメント板を分離した状態の斜視図。
【図２】本発明の空気調和装置の筐体の（ａ）正面図、（ｂ）右側面図、（ｃ）平面図および（ｄ）底面図。
【図３】本発明の空気調和装置のアタッチメント板の（ａ）正面図、（ｂ）右側面図、（ｃ）平面図および（ｄ）Ａ−Ａ線断面図。
【図４】ガイド溝とアタッチメント板の係合状態を示す部分断面図。
【図５】本発明の空気調和装置の内部構造を示す要部断面図。
【図６】本発明の空気調和装置の標準的な縦置きの使用形態を説明する右側面図。
【図７】本発明の空気調和装置を横置きする状態を示す斜視図。
【図８】本発明の空気調和装置を横置きする状態を示す側面図。
【図９】アタッチメント板を風向板として使用し、空気吹出口を塞いだ状態の斜視図。
【図１０】アタッチメント板を風向板として使用する態様を説明する（ａ）斜視図および（ｂ）右側面図。
【発明を実施するための形態】
【００１４】
次に、本発明の一実施形態に係る空気調和装置について図面を参照しながら説明するが、本発明はこれに限定されるものではない。
【００１５】
図１および図２に示すように、この空気調和装置１は、底面１２を有する円筒型に形成された下部筐体１０と、下部筐体１０の上部に配置された上部筐体２０とを有する筐体１Ａを備え、筐体１Ａにはアタッチメント板３０が別体として付属している。この実施形態において、下部筐体１０および上部筐体２０は、合成樹脂の成形品によって一体成形されてよい。
【００１６】
下部筐体１０は、下端から上端に至るまでほぼ同一径の円筒型であって、その底面１２は、空気調和装置１を縦置きすることができるように平坦面に形成されている。下部筐体１０は、下端から上端に至るまで同一径であるが、これに限らず少なくとも一般的な自動車用カップホルダーに搭載可能な筒状であればよい。
【００１７】
下部筐体１０の外周面には、空気吸込口１１が設けられている。空気吸込口１１は下部筐体１０の外周面に沿って環状に形成されたスリット孔からなり、空気吸込口１１から筐体１Ａの内部に空気が吸い込まれるようになっている。
【００１８】
上部筐体２０は、下部筐体１０の軸線Ｌと直交する横断面の前後左右の幅が下部筐体１０の直径よりも大きく形成され、この例では、四角柱状に形成されている。この実施形態において、下部筐体１０と上部筐体２０とは、下部筐体１０の軸線Ｌを中心に同軸的に配置されている。
【００１９】
この実施形態において、上部筐体２０は四角柱状に形成されているが、外周面に少なくとも１つの平坦面２１を備えていればよく、平坦面２１を有していれば例えば三角形状や多角形状であってもよい。さらには、円柱の一部を平坦面に切り欠いたいわゆるＤカット形状であってもよく、平坦面２１に沿って空気調和装置１を横置きすることができれば上部筐体２０の形状は任意に選択されて良い。
【００２０】
上部筐体２０の外周面のうち、平坦面２１を除く外周面には、空気吸込口２２が設けられている。空気吸込口２２は、外周面に沿って形成されたスリット孔である。
【００２１】
上部筐体２０の上面２０ａには、後述する空気清浄手段５０によって清浄化された空気を吹き出す空気吹出口２３が設けられている。この実施形態において、空気吹出口２３は、上部筐体２０の上面２０ａに沿って環状に開口された格子桟である。
【００２２】
上部筐体２０の平坦面２１は、上部筐体２０の背面２０ｂ側（図２（ｂ）では右側面）に配置されている。上部筐体２０の平坦面２１側には、後述するアタッチメント板３０を保持するガイド部２４が設けられている。
【００２３】
ここで、本実施形態において「縦置き」とは、被設置面Ｆ（図８参照）に対して底面１２が設置面となるように設置する態様をいい、「横置き」とは、被設置面Ｆに対して平坦面２１が設置面となるように設置する態様をいう。
【００２４】
図１および図２（ｃ）と図２（ｄ）に示すように、ガイド部２４は、上面視で上部筐体２０の背面２０ｂと、左右両端（図２（ｃ）（ｄ）では左右方向）から平坦面２１側に突き出したＬ字形状の側壁２０ｃとの内側に形成される。ガイド部２４の左右端でＬ字状の側壁２０ｃの内側に形成される隙間がカイド溝２４ａとなり、左右のカイド溝２４ａの間にアタッチメント板３０が挿通され、摺動可能に保持されるようになっている。
ガイド溝２４ａは、上部筐体２０の上面２０ａから底面２０ｄまで貫通している。
【００２５】
第１平板部３１および第２平板部３２とガイド部２４との間には、第１平板部３１または第２平板部３２を所定の摺動位置に保持する係合手段が設けられている。係合手段は、ガイド部２４のガイド溝２４ａの内周面、またはアタッチメント板３０の側面のいずれか一方に形成された凹凸を含む波形面と、いずれか他方において波形面に含まれている凹部に係合するように形成された凸部との組合せからなる。
具体的には図４に示すように、ガイド溝２４ａの底部２４ａ１に形成された係合凸部２４１と、アタッチメント板３０の側面に形成された凹凸を含む波形面３４の凹部の組み合わせである。
【００２６】
係合凸部２４１は、ガイド溝２４ａの底部２４ａ１からガイド部２４内に向かって突設された半円状の凸部であって、軸線Ｌ方向に沿って所定の間隔で複数設けられている。これによれば、アタッチメント板３０の波形面３４の凹部と係合凸部２４１とが係合することで、アタッチメント板３０の引出量をアタッチメント板３０の波形面３４の凹部のピッチで細かく調節することができる。
【００２７】
図３に示すように、アタッチメント板３０は、扁平な矩形状の板片からなる第１平板部３１と、第１平板部３１に対して直交する第２平板部３２とを有し、それらの各一端側が連結部３６でＬ字状に一体的に連結されている。この実施形態において、アタッチメント板３０は合成樹脂の成形品である。
【００２８】
第１平板部３１は、長さがガイド溝２４ａのスライド方向の溝長さとほぼ同一で、幅がガイド部２４の幅とほぼ同一の矩形状に形成されているとともに、第１平板部３１は、上部筐体２０の上端面の空気吹出口２３を塞ぐ風向板として用いるため、その面積が空気吹出口２３の開口面積と同一かそれよりも大きく形成されている。
【００２９】
第２平板部３２は、第１平板部３１とほぼ同じ大きさを有する板体であり、その中央には、少なくとも下部筐体１０が挿通可能な大きさを有する挿通孔３３が設けられている。挿通孔３３は、第１平板部３１をガイド溝２４ａに沿って差し込んだ際に、下部筐体１０と同軸となる位置に設けられている。
【００３０】
アタッチメント板３０の側面は、上述したガイド溝２４の係合凸部２４１に係合するように凹凸を有する波形面３４に形成されている。波形面３４は、係合凸部２４１に係合可能であれば、波形の形状やピッチは任意に変更されて良い。
【００３１】
第１平板部３１と第２平板部３２との連結部３６には、筐体１Ａを横置きに設置した際、第１平板部３１と平坦面２１とが被設置面Ｆ（図８参照）と平行となるように作用する突起３５が設けられている。突起３５は、付け根部から第２平板部３１の延在方向に沿って第１平板部３１側に突設されている。
【００３２】
次に、図５を参照して、空気調和装置１の内部について説明する。空気調和装置１の内部には、空気吸込口１１，２２から筐体１Ａ内に吸い込まれた空気を、上部の空気吹出口２３へと導くケーシング４０が設けられており、ケーシング４０内に空気清浄手段５０が設けられている。
【００３３】
この実施形態において、ケーシング４０は円筒状を呈し、ケーシング４０の外周面の一部には、空気吸込口１１，２２から筐体１Ａ内に吸い込まれた空気を内部に取り込む吸込口４０１が設けられている。
【００３４】
ケーシング４０の下部には、電源コード４１が引き込まれるようになっている。電源コード４１は、先端に電源プラグ４１ａを有し、他端が図示しない電源供給手段に接続されている。この実施形態において、電源供給手段は、商用電源から給電されたＡＣアダプターなどが一般的であるが、例えばシガーソケットやコンピュータのＵＳＢポートなどからの給電であってもよい。
【００３５】
空気清浄手段５０は、フィルタユニット５１と、オゾナイザユニット５２と、ファンユニット５３と、基板ユニット５４と、表示／操作基板５５と、塵埃フィルタ５６とを備えている。
【００３６】
フィルタユニット５１は、脱臭フィルタである触媒フィルタ５１ａと、ヒータ５１ｂと、フィルタホルダ５１ｃとを備えている。触媒フィルタ５１ａは、例えば、蜂の巣（ハニカム）構造を取り入れることで通気性を持たせた円板形状のハニアカムコアボードを心材とし、その表面に金属触媒を所定の厚さで設けたものであり、空気に含まれる臭気成分を吸着して分解する。
【００３７】
ヒータ５１ｂは、例えば、ＰＴＣヒータであり、触媒フィルタ５１ａを加熱して吸着した臭気成分の分解を促進する。フィルタホルダ５１ｃは、合成樹脂材で触媒フィルタに応じた略円筒形状に形成されており、触媒フィルタ５１ａやヒータ５１ｂを保持する。フィルタホルダ５１ｃは、ケーシング４０に固定される。
【００３８】
オゾナイザユニット５２は、オゾナイザ５２ａと、拡散板５２ｂと、給電コード５２ｃとで構成されている。オゾナイザ５２ａは、例えば、高電圧電極と誘電電極とを有する沿面放電方式のものであり、電極間における放電によりケーシング４０を流れる空気にエネルギーを付与することで活性化させ、解離または励起された酸素の一部をオゾンに変化させることによってオゾンを生成する。
【００３９】
拡散板５２ｂは、合成樹脂材で形成されており、オゾナイザ５２ａを保持する。拡散板５２ｂは、ケーシング４０に固定される。給電コード５２ｃは、一端がオゾナイザ５２ａに接続され、他端が後述する第２電源基板５４ｂに接続される。給電コード５２ｃは、第２電源基板５４ｂから供給される電力をオゾナイザ５２ａに導く。
【００４０】
ファンユニット５３は、ファン５３ａと、ファンホルダ５３ｂと、ファンモータ５３ｃとで構成されている。ファン５３ａは、合成樹脂材で形成された軸流ファンであり、内部にファンモータ５３ｃを備えている。ファンホルダ５３ｂは、合成樹脂材で形成されており、ファン５３ａを保持する。ファンホルダ５３ｂは、ケーシング４０に固定される。
【００４１】
基板ユニット５４は、第１電源基板５４ａと、第２電源基板５４ｂと、基板ホルダ５４ｃとで構成されている。第１電源基板５４ａは、電源コード４１の電源プラグ４１ａが接続される基板側コネクタ５４ｄを有し、電源コード４１を介して外部から電力が供給される。
【００４２】
また、第１電源基板５４ａは、第２電源基板５４ｂ、ファンモータ５３ｃ、ヒータ５１ｂ、および、後述する表示／操作基板５５に電力を供給する。第２電源基板５４ｂは、第１電源基板５４ａから供給される電力を受け、給電コード５２ｃを介してオゾナイザ５２ａに給電する。
【００４３】
基板ホルダ５４ｃは、合成樹脂材で形成されており、第１電源基板５４ａや第２電源基板５４ｂを保持する。基板ホルダ５４ｃは、ケーシング４０に固定される。また、基板ホルダ５４ｃは、空気取入口１１，２２および空気吹出口２３から筐体１Ａの内部に浸入する水が第１電源基板５４ａや第２電源基板５４ｂにかかることを防ぐ役目を果たす。
【００４４】
表示／操作基板５５は、上部筐体２０の上面中央に空気吹出口２３に囲まれるように配置されている。表示／操作基板５５には、パイロットランプ５５ａ（発光ダイオード）やスイッチ５５ｂ等が適宜配置されている。
【００４５】
集塵フィルタ５６は、ケーシングの吸込口４０１の外周に沿って配置された環状のフィルタであり、この例では合成繊維不織布を用いたフィルタが用いられている。集塵フィルタ５６の種類については、仕様に応じて任意に選択されてよい。
【００４６】
以上説明した構成を有する空気調和装置１で、使用者がスイッチ５５ｂを操作して空気調和装置１の運転を開始すると、第１電源基板５４ａからファンユニット５３に電力が供給されて、ファン５３ａが回転を開始する。また、第２電源基板５４ｂからオゾナイザユニット５２に電力が供給されて、オゾナイザ５２ａがオゾンの生成を開始する。
【００４７】
ファン５３ａが回転を開始すると、空気吸込口１１，２２から取り込まれた空気は、吸込口４０１で合流して塵埃フィルタ５６で塵や埃を取り除き、ケーシング４０の内部に導かれる。
【００４８】
ケーシング４０内に流入した空気は、ファン５３ａに向かって流れる途中でオゾナイザ５２ａが生成したオゾンにより脱臭されて、フィルタユニット５１を通過し、触媒フィルタ５１ａの働きにより脱臭される。フィルタユニット５１を通過した空気は、ファンユニット２３へと流れ、空気吹出口２３から外に放出される
【００４９】
以上の実施例では、空気清浄手段５０としてフィルタユニット５１を用いた脱臭ユニットとして説明したが、本発明はこれに限るものではなく、空気清浄フィルタ、イオン発生ユニット、加湿フィルタ等でもあってもよい。
【００５０】
次に、本発明の空気調和装置１の標準的な使用形態について、図６を用いて説明する。まず、空気調和装置１にアタッチメント板３０を取り付ける。アタッチメント板３０の第２平板部の挿通孔３３内に下部筐体１０が挿通された状態で、第１平板部３１を上部筐体２０のガイド部２４の下端から挿入すると第１平板部３１がガイド部２４に摺動可能に保持される。そして上部筐体２０の底面２０ｄに第２平板部３２が当接する位置まで差し込む。これにより、アタッチメント板３０が筐体１Ａから突出することなく取り付けられる。この状態を標準状態とする。
【００５１】
この標準状態において、空気調和装置１の下部筐体１０を一般的なカップホルダーＨに差し込むことにより、下部筐体１０の底面１２がカップホルダーＨの底面（被設置面Ｆ）に置かれる。また、カップホルダーＨ以外にも机の上などの平坦な面に対して下部筐体１０の底面１２を設置することで、縦置きに設置することができる。
【００５２】
図７，８に示すように、空気調和装置１を横置きで設置するに当たっては、標準状態で収納されているアタッチメント板３０を下部筐体１０の底面１２側に向けて引き出し出す。その際、アタッチメント板３０は、波形面３４に沿って係止凸部２４１とが凹部に交互に係合することにより、クリック感を伴って引き出される。
【００５３】
アタッチメント板３０を適度な位置まで引き出したのち、平坦面２１を下にして被設置面Ｆに設置する。その際、アタッチメント板３０の突起３５の先端部３５ａと平坦面２１とが同一面となることで、空気調和装置１を水平状態で横置き設置することができる。
【００５４】
その際、空気調和装置１を横置きに設置した状態であっても、各空気吸込口１１，２２は被設置面Ｆによって隠されることが無いため、吸気効率が低下することもない。これによれば、引き出されたアタッチメント板３０を横置き設置用のスタンドとして用いることができる。
【００５５】
上述した標準状態において、アタッチメント板３０は、上部筐体２０の底面２０ｄからガイド部２４に沿って差し込まれているが、アタッチメント板３０は、反対側の上部筐体２０の上面２０ａからガイド部２４に差し込むことができる。
【００５６】
すなわち、図９に示すように、アタッチメント板３０は、第２平板部３２が空気調和装置１の上部筐体２０の上面２０ａからガイド部２４のガイド溝２４に沿って差し込むことができ、摺動可能に保持される。第２平板部３２を奥まで差し込むと、第１平板部３１が空気吹出口２３を塞ぐように取り付けられる。
【００５７】
これによれば、空気調和装置１の不使用時には、第１平板部３１が空気吹出口２３を塞ぐ蓋板として用いられるため、筐体１Ａの内部に埃が入らず清潔に保つことができる。また、運転時には、図１０に示すように、第１平板部３１を所定距離上に持ち上げることにより、第１平板部３１は空気吹出口２３から吹き出された空気を水平方向に拡散させる風向板としても機能する。
【００５８】
すなわち、空気吹出口２３から吹き出された空気が第１平板部３１に当たり、その板面に沿って水平方向に室内に拡散される。その際、空気吹出口２３と第１平板部３１との距離を短くすると前方に風向範囲が狭く吹出スピードが早い風を吹き出すことができる。逆に、距離を長くすると前方に風向範囲が広く吹出スピードがやや遅い風を吹き出すことができる。
【００５９】
以上説明したように、有底な円筒型に形成された下部筐体と、下部筐体の上部に配置され、外周面の少なくとも１辺に平坦面を含む上部筐体とからなる筐体と、下部筐体が挿通可能な挿通孔を有する第１平板部と、空気吹出口を塞ぎ得る大きさを有する第２平板部とからなるＬ字状をなすアタッチメント板をさらに備えることで、カップホルダーなどへの縦置き設置ばかりでなく、アタッチメント板３０をスタンド脚として平坦面を下にして横置きすることができる。
【００６０】
また、アタッチメント板３０の取り付け位置を逆にすることで、アタッチメント板３０を不使用時に空気吹出口を塞ぐとともに、使用時には吹出方向を変える風向板としての役割も果たすことができる。また、アタッチメント板３０は標準状態では筐体１Ａから突出することなく取り付けられることにより、使用状況に合わせてアタッチメント板３０を引き出したり仕舞うことができ、使用中の管理も簡単である。
【符号の説明】
【００６１】
１  空気調和装置
１Ａ  筐体
１０  下部筐体
１１  空気吸込口
２０  上部筐体
２１  平坦面
２２  空気吸込口
２３  空気吹出口
２４  ガイド部
２４ａ  ガイド溝
３０  アタッチメント板
３１  第１平板部
３２  第２平板部
３３  挿通孔
３４  波形面
３５  凸部
４０  ケーシング
５０  空気清浄手段
Ｆ  被設置面
Ｈ  カップホルダー
【図１】
2015141000.tif 000003
【図２】
2015141000.tif 000004
【図３】
2015141000.tif 000005
【図４】
2015141000.tif 000006
【図５】
2015141000.tif 000007
【図６】
2015141000.tif 000008
【図７】
2015141000.tif 000009
【図８】
2015141000.tif 000010
【図９】
2015141000.tif 000011
【図１０】
2015141000.tif 000012